(57)【特許請求の範囲】
【請求項１】
遊技盤が嵌め込まれる開口部が開設されたセット枠と、このセット枠の下方に形成されたセット板とを有し、木枠に組付けられる構成の合成樹脂製のベース枠体であって、
前記ベース枠体は、このベース枠体のほぼ下半分を形成し、かつ両端から縦枠部が下方に向かうように門形状に形成されて前記開口部を分断する第１成形体と、前記ベース枠体のほぼ下半分を形成し、かつその前面が前記遊技盤の遊技盤面にほぼ整合されると共にその前面に発射球を前記遊技盤の遊技盤面に案内する発射レールが固定されその裏面に遊技球を前記遊技盤の遊技盤面に向けて発射させる発射機構と前記遊技盤の裏側から排出されたセーフ球およびアウト球を集めてパチンコ機外へ誘導する遊技球排出通路とが形成される前記セット板の両端に縦枠部が付加された形状に成形される第２成形体とに分割されており、
前記第１成形体、あるいは前記第２成形体のいずれか一方の成形体の端部には、ねじを収納する通し孔が設けられた後締結片を備える左右一対の第１接続部が形成されており、
前記第１成形体、あるいは前記第２成形体のいずれか一方の成形体であって、前記第１接続部が設けられていない成形体の端部には、ねじ孔が貫通された前締結片を備える左右一対の第２接続部が形成されており、
前記第２接続部の前締結片のねじ孔と前記第１接続部の後締結片の通し孔とが同心状態で連通するように、前記第１成形体の端部と前記第２成形体の端部とが嵌め合わされた状態で、ねじが前記後締結片の通し孔から前記前締結片のねじ孔に挿通されて前記木枠にねじ込まれ、前記ねじの頭部が前記第１接続部と前記第２接続部との接合面の近くに位置する前記通し孔の底部に掛けられた状態で、前記第１成形体の端部と前記第２成形体の端部とが前記木枠に固定される構成であることを特徴とするパチンコ機のベース枠体。
【発明の詳細な説明】
【０００１】
【産業上の利用分野】
この発明はパチンコ機において、遊技盤が内部にセットされ、発射機構等が組付けられるベース枠体の構造に関する。
【０００２】
【従来の技術】
従来技術としては例えば特開平３−２９５５７８号公報がある。この公報には遊技盤収納フレーム部分と、発射レールおよび溢れ球・ファール球受樋が取付けられるベース部分とが相互に一体に成形されたフレームベースを備えたパチンコ遊技機が開示されている。
【０００３】
【発明が解決しようとする課題】
本発明は、ベース枠体を第１、第２の成形体で分割することで取扱いを簡便化するとともに、両成形体からベース枠体を組立てる際に両成形体の連結部分の強度を高めることを課題とするものである。
【０００４】
【課題を解決するための手段】
上記した課題は請求項１の発明によって解決される。即ち、請求項１の発明は、遊技盤が嵌め込まれる開口部が開設されたセット枠と、このセット枠の下方に形成されたセット板とを有し、木枠に組付けられる構成の合成樹脂製のベース枠体であって、前記ベース枠体は、このベース枠体のほぼ下半分を形成し、かつ両端から縦枠部が下方に向かうように門形状に形成されて前記開口部を分断する第１成形体と、前記ベース枠体のほぼ下半分を形成し、かつその前面が前記遊技盤の遊技盤面にほぼ整合されると共にその前面に発射球を前記遊技盤の遊技盤面に案内する発射レールが固定されその裏面に遊技球を前記遊技盤の遊技盤面に向けて発射させる発射機構と前記遊技盤の裏側から排出されたセーフ球およびアウト球を集めてパチンコ機外へ誘導する遊技球排出通路とが形成される前記セット板の両端に縦枠部が付加された形状に成形される第２成形体とに分割されており、前記第１成形体、あるいは前記第２成形体のいずれか一方の成形体の端部には、ねじを収納する通し孔が設けられた後締結片を備える左右一対の第１接続部が形成されており、前記第１成形体、あるいは前記第２成形体のいずれか一方の成形体であって、前記第１接続部が設けられていない成形体の端部には、ねじ孔が貫通された前締結片を備える左右一対の第２接続部が形成されており、前記第２接続部の前締結片のねじ孔と前記第１接続部の後締結片の通し孔とが同心状態で連通するように、前記第１成形体の端部と前記第２成形体の端部とが嵌め合わされた状態で、ねじが前記後締結片の通し孔から前記前締結片のねじ孔に挿通されて前記木枠にねじ込まれ、前記ねじの頭部が前記第１接続部と前記第２接続部との接合面の近くに位置する前記通し孔の底部に掛けられた状態で、前記第１成形体の端部と前記第２成形体の端部とが前記木枠に固定される構成であることを特徴とする。
【０００５】
【作用】
請求項１の発明によると、ベース枠体はこのベース枠を木枠に組付ける前の段階では、ベース枠体のほぼ上半部を構成する第１成形体と、ベース枠体のほぼ下半部を構成する第２成形体とに分離した状態で取扱われる。そして、第１成形体の端部と第２成形体の端部とが互いに嵌め合わされた状態で両成形体が合体してベース枠体が形成される。このとき、第１接続部の後締結片と第２接続部の前締結片とが同軸に重ねられ、後締結片の通し孔と前締結片のねじ孔に挿通されたねじによって第１接続部と第２接続部とが木枠に締結される。これによって、第１、第２接続部の上下方向および横方向へのずれがねじによって自動的に矯正されるとともに、第１、第２接続部を強固に結合した状態で両成形体を木枠に固定することができる。さらに、両成形体を連結する作業を簡易化できる。
【０００６】
【発明の効果】
請求項１によれば、ベース枠体が第１成形体と第２成形体とに分割されてセット枠の開口部が分断されるので、パチンコ機を組立てる前の段階でのベース枠体の取扱いを簡便化することができるとともに、ベース枠体を保管したり、運搬するときにベース枠体が占めるスペースを減縮することができる。
【０００７】
また、第１成形体と第２成形体とを異質の合成樹脂材によって成形することができ、両成形体をその要求特性に適応する合成樹脂材によって成形することによってベース枠体の材料コストを節減することができ、また、ベース枠体の耐久性能を部分的に良化することができる。
【０００８】
【実施例】
次に、本発明の１実施例を図面にしたがって説明する。パチンコ機の木枠１は定位置に立設される角筒状の後枠部１ａと、この後枠部１ａにヒンジによって前方への回動可能に結合されて後枠部１ａの前側に設置された方形枠状の前枠部１ｂとによって形成されている。
【０００９】
木枠１の前枠部１ｂの後面には遊技盤が前方への取出し不能で後方への取出し可能に嵌め込まれる開口部１１ａが開設された方形枠状のセット枠１１と、このセット枠１１の下方に形成されたセット板１０とを有する硬質合成樹脂製のベース枠体９が組付けられている。
【００１０】
セット枠１１の両縦枠部１１ｂの内側縁および上枠部１１ｃの下側縁には遊技盤１２を前方に対して抜け止めする段部１１ｅが形成されている。
【００１１】
ベース枠体９は、セット枠１１からその両縦枠部１１ｂの下部および下枠部１１ｄを切除した門形状に成形されてベース枠体９のほぼ上半部を形成しかつセット枠１１の開口部１１ａを分断する第１成形体９ａと、この第１成形体９ａの下方に設置され、セット板１０にセット枠１１の両縦枠部１１ｂの下部および下枠部１１ｄを付加した形状に成形されてベース枠体９のほぼ下半部を形成する第２成形体９ｂとに分割され、両成形体９ａ，９ｂが分離可能に接続されてベース枠体９が形成されている。
【００１２】
第１成形体９ａおよび第２成形体９ｂの上部は後部の幅が前部の幅より縮小された形状で前方開放の中空体状に成形され、両成形体９ａ，９ｂを接続すると、ベース枠体９のセット板１０が第２成形体９ｂの下部によって形成されかつセット枠１１が第２成形体９ｂの下部と第１成形体９ａとによって形成される。
【００１３】
第１成形体９ａにはこの第１成形体９ａを木枠１の前枠部１ｂに締結するねじが挿通される通し孔が貫設された複数個の締結部５８が形成されている。
【００１４】
第２成形体９ｂにはこの第２成形体９ｂを木枠１の前枠部１ｂに締結するねじが挿通される通し孔が貫設された複数個の締結部５９が形成され、第２成形体９ｂの前面には木枠１の前枠部１ｂに凹設された孔部１ｃ内に挿入されて前枠部１ｂへの第２成形体９ｂの取付け位置を指定する複数個の位置決め片６０が一体状に凸設されている。
【００１５】
両成形体９ａ，９ｂは第１成形体９ａの下端に形成された左右１対の第１接続部５０と、第２成形体９ｂの上端の前部に形成された第２接続部５１とが互に嵌め合わされて内外に重ね合わされた状態で分離可能に連結されている。
【００１６】
第２成形体９ｂの両第２接続部５１は第１接続部５０内の前部にほぼ密嵌状に嵌め込まれるように厚さが第１接続部５０の厚さの約１／２で、幅が第１接続部５０の幅より若干縮小された形状にそれぞれ形成され、両第１接続部５０はこの第１接続部５０の上方の部位に段差を無くした状態でそれぞれ連接され、両第２接続部５１はその下部の部位にそれぞれ段差が形成された状態で連接されている。
【００１７】
両第２接続部５１の下端には第１接続部５０の下端縁が当接して第１接続部５０内への第２接続部５１の嵌め込み端を規定する規定面６１が形成されている。
【００１８】
第１成形体９ａの両第１接続部５０の後部には第１接続部５０および第２接続部５１を木枠１の前枠部１６に結合するねじ５２が挿通される通し孔５４ａが貫設されて第１接続部５０の厚さの１／２の厚さを有する円筒状の後締結片５４と、第１接続部５０と第２接続部５１とを結合するねじ５３が挿通される通し孔５５ａが貫設されて後締結片５４の厚さと等しい厚さを有する円筒状の後結合片５５とがそれぞれ上下に隣接して形成されている。
【００１９】
第２成形体９ｂの両第２接続部５１には第１、第２接続部５０，５１を嵌め合わせたときに第１接続部５０の後締結片５４の後側に同心状に重ね合わされる円筒状の前締結片５６と、第１、第２接続部５０，５１を嵌め合わせたときに第１接続部の後結合片５５の後側に同心状に重ね合わされる円筒状の前結合片５７とが上下に隣接して形成されている。
【００２０】
第２接続部５１の前締結片５６には両接続部５０，５１を嵌め合わせたときに後締結片５４の通し孔５４ａに同心状態で連通されてねじ５２が挿通されるねじ孔５６ａが貫設され、前結合片５７には両接続部５０，５１を嵌め合わせたときに後結合片５５の通し孔５５ａに同心状態で連通されてねじ５３がねじ込まれるねじ孔５７ａが貫設されている。
【００２１】
両成形体９ａ，９ｂは各対の第１、第２接続部５０，５１がそれぞれ嵌め合わされてねじ５２によって結合された状態で一体に連結され、ベース枠体９は両成形体９ａ，９ｂの締結部５８，５９および各第１、第２接続部５０，５１の前後締結片５６，５４が木枠１の前枠部１ｂの後面に締結された状態で木枠１に組付けられる。
【００２２】
ベース枠体９にはセット枠１１の開口部１１ａ内に嵌め込まれた遊技盤１２の後側に設置されてセット枠１１に係止される裏枠が取外しおよび回動可能に結合される。
【００２３】
遊技盤１２にはその遊技盤面１２ａに装着される各種役物を取付けるための適数個の取付け孔が開設され、役物の入賞口や始動口に入賞したセーフ球は取付け孔に取付けられた役物内を通り抜けて遊技盤１２の前側から裏側へ転動する。
【００２４】
遊技盤１２の下端部の左右方向中央部には遊技盤面１２ａに打出されて入賞せずに落下したアウト球が落入するアウト口３６が開設されるとともに、このアウト口３６の下方で遊技盤１２の裏面下端部にはアウト口３６に落入したアウト球を遊技盤１２の下方へ誘導するアウト球誘導溝３７が凹設されている。
【００２５】
セット枠１１の下枠部１１ｄには上皿の上皿口の後側に設置されて賞品球を上皿口に導入する賞品球口２０が開設されている。
【００２６】
ベース枠９のセット板１０の前面は遊技盤面１２ａにほぼ整合され、このセット板１０の前面には上皿内から送り出された遊技球を球発射起点となる基端部で受止めて発射球を遊技盤面１２ａへ案内する発射レール１５が先上り姿勢で固定され、また、セット板１０には球発射起点上の遊技球を遊技盤面１２ａへ向けて発射させる発射機構が取付けられている。
【００２７】
セット板１０にはこのセット板１０の前面に連接されて前方へ突出された円筒状のスピーカー収納壁２１と、このスピーカー収納壁２１の両側方に隣設された丸棒状のカバー板取付け片５１とカバー体状に形成されている。
【００２８】
スピーカー収納壁２１の外周面にはガラス扉の開放時に賞品球口２０からこぼれ落ちたこぼれ球をはね返してスピーカー収納壁２１の左方若しくは右方へ誘導するこぼれ球誘導面２１ａが形成され、スピーカー収納壁２１の内壁面には前後方向に沿って突設されて周方向へ配列された複数個のリブが連接されている。
【００２９】
スピーカー収納壁２１内には効果音等を発するスピーカー１７が前方への取出しが可能となった状態で嵌め込まれて収納されている。
【００３０】
セット板１０の前面にはスピーカー１７を抜け止めしてスピーカー収納壁２１に固止する機能と、スピーカー１７をカバーする機能と、遊技盤面１２ａから逆流したファール球を案内する機能とを兼有する横長状のスピーカーカバー板１８が取外し可能に結合されている。
【００３１】
スピーカーカバー板１８の内端部付近には内方へ先下り状に傾斜した形状を有し、遊技盤面１２ａから逆流したファール球をスピーカー１７から遠ざける方向へ案内する誘導斜面１８ａが形成され、この誘導斜面１８ａと発射レール１５との間にはファール球を通過させるファール球通し口１９が開設されている。
【００３２】
セット板１０の前面には内方へ先下り状に傾斜した状態でスピーカー収納部２１の下方に設置されて球受け面２１ａに衝突して転落したこぼれ球を内方へ案内する第１こぼれ球誘導板２２と、内方へ先下り状に傾斜した状態で発射レール１５の下方に設置されて、こぼれ球を内方へ誘導する第２こぼれ球誘導板２３とが連接されている。
【００３３】
セット板１０の裏面にはその中央部付近に外方へ先下り状に傾斜した状態で設置されたアウト球誘導板２４と、このアウト球誘導板２４の外方に内方へ先下り状に傾斜した状態で間隙を隔てて設置された第３こぼれ球誘導板２５とが連接されている。
【００３４】
アウト球誘導板２４上にはアウト口３６から転り出てアウト球誘導溝３７内を通り、遊技盤１２の下方へ転落したアウト球を斜め下方へ誘導するアウト球誘導通路がセット板１０によってスピーカー１７と仕切られてスピーカー１７の後側を避けた状態で形成されている。
【００３５】
セット板１０の中央部付近には左右１対の垂直な側壁部２６ａと、この両側壁部２６ａの後端縁に直交状に連接された後壁部２６ｂと、両側壁部２６ａおよび後壁部２６ｂの下端縁に連接されて前下り状に傾斜した底壁部２６ｃとを有し、上端に開口部２６ｄが開設された球誘導ケース２６が一体状に形成されている。
【００３６】
球誘導ケース２６は遊技者に払い出される賞品球およびファール球を上方から受入れて前下方の下皿６内へ送り出す目的で設置され、この球誘導ケース２６内には賞品球およびファール球が通過する球誘導室３２が形成されている。
【００３７】
球誘導ケース２６の表面には後壁部２６ｂおよび底壁部２６ｃを補強する複数本の補強リブ２６ｅが後壁部２６ｂの後面と底壁部２６ｃの下面とにわたって並行状に突出形成されている。
【００３８】
球誘導ケース２６の内壁面の上下部にはこの球誘導ケース２６内へ落下するパチンコ球の落下起点からそのパチンコ球が衝突する落下地点までの落差を縮小してパチンコ球の落下衝撃を緩衝する目的で球誘導ケース２６内に互に逆方向へ先下り状に傾斜した姿勢で設置された上下１対の緩衝板２７，２７が連接されている。
【００３９】
上側の緩衝板２７の前部はファール球の落下衝撃が緩衝されるように下側の緩衝板２７の前方へ延出されている。
【００４０】
球誘導ケース２６内へ落下した賞品球は上側の緩衝板２７に衝突して上側の緩衝板２７を伝って転動してから、下側の緩衝板２７に衝突して下側の緩衝板２７を伝って転動し、さらに球誘導ケース２６の底壁部２６ｃ上へ転落するか、若しくは下側の緩衝板２７に衝突してから底壁部２６ｃ上へ転落し、球誘導ケース２６内へ落下した賞品球の落下衝撃が両緩衝板２７によって緩衝される。
【００４１】
球誘導ケース２６の後壁部２６ｂの中央部付近および下端には下側の緩衝板２７の先端縁の上方および下方にそれぞれ配設されて球誘導室３２を通行するパチンコ球およびその通行状態を監視する３個１組の賞品球透視孔３１がそれぞれ開設されている。
【００４２】
従って、球誘導ケース２６内の下部で球詰まりが発生したときにこの球詰まりを賞品球透視孔３１によって発見することができる。
【００４３】
球誘導ケース２６内の上部には球誘導ケース２６の後壁部２６ｂに連接されて前方へ突出された支軸３８によって左右方向への搖動可能に支持されて球誘導ケース２６内にパチンコ球が充満したときに搖動する満タン検出片３９が、上側の緩衝板２７によって覆われた状態で設置されている。
【００４４】
満タン検出片３９にはセット板１０の前面に取付けられた満タン検出スイッチ４７の触動片４７ａを満タン時に押上げる突片３９ａが突出形成されている。
【００４５】
セット板１０の裏面には上端縁が第３こぼれ球誘導板２５の先端縁に連接されて垂立された縦壁板１３と、上端縁がこの縦壁板１３の下端縁に連接されて内端縁が球誘導ケース２６に連接され、断面形状がＬ形状に曲折された樋板１４とが一体状に形成され、樋板１４の下片１４ａの上面には上面が後下り状に傾斜した複数個の突条１４ｂが並行状に凸設されている。
【００４６】
球誘導ケース２６と縦壁板１３との間には左右１対の側壁部と、この両側壁部の後端縁に連接された後壁部と、後壁部の下端縁に連接されて前方へ若干突出された底壁部とを有し、セット板１０に取外し可能に係止されて球誘導ケース２６の側方で樋板１４上に設置された遊技球集合ケース２９が挟み込まれている。
【００４７】
遊技球集合ケース２９内にはセーフ球およびアウト球を集めてパチンコ機外へ誘導する遊技球排出通路３０がスピーカー１７のマグネット１７ｂの後側を避けた状態で形成され、樋板１４と、遊技球集合ケース２９の下面と、球誘導ケース２６の側面との間には遊技球集合ケース２９の下方に形成されて遊技球集合ケース２９内へ落入して遊技球排出通路３０を通り抜けたアウト球およびセーフ球を後方へ誘導してパチンコ機外へ排出する遊技球排出口３３が開設されている。
【００４８】
アウト球誘導通路５２を通り抜けたアウト球および第３こぼれ球誘導板２５の先端部から転がり落ちたこぼれ球は遊技球集合ケース２９内へ落入し、遊技球排出口３３を通り抜けてパチンコ機外へ排出される。
【００４９】
続いて、上記した構成を有する実施例の作用と効果を説明する。本例では、遊技盤１２が嵌め込まれる開口部１１ａが開設されたセット枠１１と、このセット枠１１の下方に形成されたセット板１０とを有し、木枠１に組付けられる合成樹脂製のベース枠体９を、セット枠１１からその両縦枠部１１ｂの下部および下枠部１１ｄを切除した形状を有し、ベース枠体１１のほぼ上半部を形成する第１成形体９ａと、セット板１０にセット枠１１の両縦枠部１１ｂの下部および下枠部１１ｄを付加した形状を有し、ベース枠体１１のほぼ下半部を形成する第２成形体９ｂとに分割し、第１成形体９ａの下端に形成された左右１対の第１接続部５０と、第２成形体９ｂの上端に形成された左右１対の第２接続部５１とをそれぞれ互に嵌め合わせて内外に重ね合わせた状態で両接続部５０，５１を結合して前記両成形体９ａ，９ｂを接続し、第１接続部５０および第２接続部５１にはこの両接続部５０，５１を嵌め合わせたときに同心状に重ね合わされる後締結片５４および前締結片５６をそれぞれ形成し、この両締結片５４、５６にはこの両締結片５４、５６を木枠１に締結するねじ５２が挿通されて両接続部５４，５６を嵌め合わせたときに同心状態で連通される通し孔５４ａ，５６ａをそれぞれ貫設してある。
【００５０】
このため、ベース枠体９が第１成形体９ａと第２成形体９ｂとに分割されてセット枠１１の開口部１１ａが分断されるので、パチンコ機を組立てる前の段階でベース枠体９の取扱いを簡便化することができるとともに、ベース枠体９を保管したり、運搬するときにベース枠体９が占めるスペースを減縮することができる。
【００５１】
また、第１成形体９ａと第２成形体９ｂとを異質の合成樹脂材によって成形することができ、両成形体９ａ，９ｂをその要求特性に適応する合成樹脂材によって成形することによってベース枠体９の材料コストを節減することができ、また、ベース枠体９の耐久性能を部分的に良化することができる。
【００５２】
さらに、両成形体９ａ，９ｂを常に適正状態で連結することができるので、両成形体９ａ，９ｂの組立て形態を均整化してベース枠体９の形状を均整化し、両成形体９ａ，９ｂの連結状態を強化および安定化することができるとともに、両成形体９ａ，９ｂを連結する作業を簡易化することができる。
【００５３】
また、第１、第２接続部５０，５１を嵌め合わせて両締結片５４，５６の両通し孔５４ａ，５６ａにねじ５２を挿通すると、第１、第２接続部５０，５１の上下方向および横方向へのずれがねじ５２によって自動的に矯正されるので、第１、第２接続部５０，５１をその上下方向および横方向のずれを無くした状態で正確に位置合わせして接続することができるとともに、第１、第２接続部５０，５１を強固に結合した状態で両成形体９ａ，９ｂを木枠１に固定することができる。
【００５４】
とくに、第１、第２成形体９ａ，９ｂを分離させると、セット枠１１の開口部１１ａが分断するので、例えば、図１１（Ａ），（Ｂ）に示すように、２つの第１成形体９ａ、および、２つの第２成形体９ｂを、互いに逆向きにして縦枠部１１ｂの一部を互に開口部１１ａ内に差込んで隣接する縦枠部１１ｂの一部と重ね合わせると、２つの第１成形体９ａおよび２つの第２成形体９ｂが占めるスペースを、２つのベース枠体を横方向に並べたときにこの両ベース枠体が占めるスペースに比して実質的に縮小することができ、一定のスペース内でのベース枠体９の保管数量を増大することができる。
【図面の簡単な説明】
【図１】  本発明の１実施例を示すもので、木枠およびベース枠体の縦断面図である。
【図２】  ベース枠体の要部の分解正面図である。
【図３】  ベース枠体の分解裏面図である。
【図４】  両成形体の接続部付近の裏面図である。
【図５】  図４のＸ１−Ｘ１線断面図である。
【図６】  図４のＸ２−Ｘ２線断面図である。
【図７】  両成形体の接続部付近の分解正面図である。
【図８】  図７のＸ３−Ｘ３線断面図である。
【図９】  セット板の要部の正面図である。
【図１０】  セット板の要部の裏面図である。
【図１１】  両成形体の保管態様の例を説明する平面図である。
【符号の説明】
１  木枠
９  ベース枠体
９ａ  第１成形体
９ｂ  第２成形体
１０  セット板
１１  セット枠
１２  遊技盤
５０，５１  接続部
５４，５６  締結片
５４ａ，５６ａ  通し孔
【図１】
0003780347.tif 000002
【図２】
0003780347.tif 000003
【図３】
0003780347.tif 000004
【図４】
0003780347.tif 000005
【図５】
0003780347.tif 000006
【図６】
0003780347.tif 000007
【図７】
0003780347.tif 000008
【図８】
0003780347.tif 000009
【図９】
0003780347.tif 000010
【図１０】
0003780347.tif 000011
【図１１】
0003780347.tif 000012